(57)【要約】【課題】医療用画像の変化を適切に抽出し、複数の医療用画像間の比較を容易ならしめる医療用画像処理装置を提供する。【解決手段】患部の画像と共に基準用被写体の画像を含む医療用画像を取得する医療用画像取得手段５０と、医療用画像取得手段において取得された医療用画像から基準用被写体の画像領域を抽出し、基準用被写体の画像領域における画像の特徴量に基づいて医療用画像の比較対象領域における画像の特徴量を補正する画像補正手段５２とを含む医療用画像処理装置によって上記課題を解決できる。【選択図】図１３
2005095478.tif 000002
【特許請求の範囲】
【請求項１】
複数の医療用画像内における比較対象領域の画像の特徴量を比較することを支援する医療用画像処理装置であって、
患部の画像と共に基準用被写体の画像を含む医療用画像を取得する医療用画像取得手段と、
前記医療用画像取得手段において取得された医療用画像から基準用被写体の画像領域を抽出し、当該基準用被写体の画像領域における画像の特徴量に基づいて当該医療用画像の比較対象領域における画像の特徴量を補正する画像補正手段と、
を含むことを特徴とする医療用画像処理装置。
【請求項２】
請求項１に記載の医療用画像処理装置において、前記医療用画像における基準用被写体の画像は、撮影対象である患部から所定の距離に保って撮影された画像であることを特徴とする医療用画像処理装置。
【請求項３】
請求項１又は２に記載の医療用画像処理装置において、
前記医療用画像取得手段は、撮影時において撮影対象となる患部から所定の距離に保たれる基準用被写体とカメラとを含むことを特徴とする医療用画像処理装置。
【請求項４】
請求項１〜３のいずれか１つに記載の医療用画像処理装置において、
前記基準用被写体は、Ｘ線を所定の透過率で透過する金属片を含むことを特徴する医療用画像処理装置。
【請求項５】
請求項１〜３のいずれか１つに記載の医療用画像処理装置において、
前記基準用被写体は、その表面が所定の基準色であることを特徴とする医療用画像処理装置。
【請求項６】
複数の医療用画像内における比較対象領域の画像の特徴量を比較することを支援する医療用画像処理方法であって、
患部の画像と共に基準用被写体の画像を含む医療用画像を取得する医療用画像取得工程と、
前記医療用画像取得工程において取得された医療用画像から基準用被写体の画像領域を抽出し、当該基準用被写体の画像領域における画像の特徴量に基づいて当該医療用画像の比較対象領域における画像の特徴量を補正する画像補正工程と、
を含むことを特徴とする医療用画像処理方法。
【請求項７】
請求項６に記載の医療用画像処理方法において、前記医療用画像における基準用被写体の画像は、撮影対象である患部から所定の距離に保って撮影された画像であることを特徴とする医療用画像処理方法。
【請求項８】
複数の医療用画像内における比較対象領域の画像の特徴量を比較することを支援する医療用画像処理プログラムであって、
コンピュータを、
患部の画像と共に基準用被写体の画像を含む医療用画像を取得する医療用画像取得手段と、
前記医療用画像取得手段において取得された医療用画像から基準用被写体の画像領域を抽出し、当該基準用被写体の画像領域における画像の特徴量に基づいて当該医療用画像の比較対象領域における画像の特徴量を補正する画像補正手段と、
を含む装置として機能させることを特徴とする医療用画像処理プログラム。
【請求項９】
請求項８に記載の医療用画像処理プログラムにおいて、前記医療用画像における基準用被写体の画像は、撮影対象である患部から所定の距離に保って撮影された画像であることを特徴とする医療用画像処理プログラム。
【発明の詳細な説明】
【技術分野】
【０００１】
本発明は、医療用画像間の比較に用いられる医療用画像処理装置、医療用画像処理方法及び医療用画像処理プログラムに関する。
【背景技術】
【０００２】
病気の検査や診断を行うに当たってＸ線画像、ＭＲＩ画像、内視鏡カメラ画像等の多種・多様な医療用画像が利用されている。これらの医療用画像を用いて医師などが検査や診断を行う際に、より検査や診断を容易化ならしめるための方法が知られている。
【０００３】
例えば、１つのＭＲＩ画像上に診断となる対象領域の輪郭データを手入力すると、この輪郭データとの相関により他のＭＲＩ画像からこの輪郭データに対応する領域の輪郭データを抽出する機能を有する医療用画像診断システムが開示されている（特開平６−５４８３２号公報）。
【０００４】
また、Ｘ線画像を用いて骨密度を測定するにあたって、患部のＸ線画像を撮影する際に基準用金属片を同時に撮影し、撮影されたＸ線画像上の基準用金属片の黒化度と患部領域の黒化度との比較を可能とする方法が開示されている（特開平６−２８５０５９号公報）。
【０００５】
【特許文献１】特開平６−５４８３２号公報
【特許文献２】特開平６−２８５０５９号公報
【発明の開示】
【発明が解決しようとする課題】
【０００６】
時間をおいて複数の医療用画像を撮影する場合、撮影装置の経時的な特性変化によって画像に表れる濃淡、色彩、倍率、歪等の特徴量が変化してしまうことがある。例えば、胃潰瘍の患者の治療経過を知るために時間をおいて撮られた複数の胃カメラの画像を対比する場合、胃の内壁のどの程度の領域がどの程度赤くただれているのか等の画像上の特徴量を撮影装置の経時的な特性変化の影響を取り除いて比較することが必要となる。Ｘ線画像やＭＲＩ画像等の他の種類の医療用画像においても同様である。
【０００７】
しかしながら、従来の医療においては、撮影装置の経時的な特性変化の影響を医師は自己の経験に基づいて主観的に取り除いて診療を行うしかなかった。
【０００８】
本発明は、上記従来の課題を鑑み、複数の医療用画像間の変化を適切に比較することを支援することができる医療用画像処理装置、医療用画像処理方法及び医療用画像処理プログラムを提供することを目的とする。
【課題を解決するための手段】
【０００９】
上記課題を解決できる本発明は、複数の医療用画像内における比較対象領域の画像の特徴量を比較することを支援する医療用画像処理装置であって、患部の画像と共に基準用被写体の画像を含む医療用画像を取得する医療用画像取得手段と、前記医療用画像取得手段において取得された医療用画像から基準用被写体の画像領域を抽出し、当該基準用被写体の画像領域における画像の特徴量に基づいて当該医療用画像の比較対象領域における画像の特徴量を補正する画像補正手段と、を含むことを特徴とする。
【００１０】
ここで、上記本発明の医療用画像処理装置において、前記医療用画像における基準用被写体の画像は、撮影対象である患部から所定の距離に保って撮影された画像であることが好適である。
【００１１】
そのために、上記本発明の医療用画像処理装置の前記医療用画像取得手段は、撮影時において撮影対象となる患部から所定の距離に保たれる基準用被写体とカメラとを含むことが好適である。このとき、前記基準用被写体は、Ｘ線を所定の透過率で透過する金属片を含むことが好適である。また、前記基準用被写体は、その表面が所定の基準色であることも好適である。
【００１２】
上記課題を解決できる本発明の別の形態は、複数の医療用画像内における比較対象領域の画像の特徴量を比較することを支援する医療用画像処理方法であって、患部の画像と共に基準用被写体の画像を含む医療用画像を取得する医療用画像取得工程と、前記医療用画像取得工程において取得された医療用画像から基準用被写体の画像領域を抽出し、当該基準用被写体の画像領域における画像の特徴量に基づいて当該医療用画像の比較対象領域における画像の特徴量を補正する画像補正工程と、を含むことを特徴とする。
【００１３】
ここで、上記本発明の医療用画像処理方法において、前記医療用画像における基準用被写体の画像は、撮影対象である患部から所定の距離に保って撮影された画像であることが好適である。
【００１４】
上記課題を解決できる本発明の別の形態は、複数の医療用画像内における比較対象領域の画像の特徴量を比較することを支援する医療用画像処理プログラムであって、コンピュータを、患部の画像と共に基準用被写体の画像を含む医療用画像を取得する医療用画像取得手段と、前記医療用画像取得手段において取得された医療用画像から基準用被写体の画像領域を抽出し、当該基準用被写体の画像領域における画像の特徴量に基づいて当該医療用画像の比較対象領域における画像の特徴量を補正する画像補正手段と、を含む装置として機能させることを特徴とする。
【００１５】
ここで、上記本発明の医療用画像処理プログラムにおいて、前記医療用画像における基準用被写体の画像として、撮影対象である患部から所定の距離に保って撮影された画像を対象とすることが好適である。
【発明の効果】
【００１６】
本発明によれば、医療用画像の変化を適切に抽出し、複数の医療用画像間の比較を容易ならしめる医療用画像処理装置、医療用画像処理方法及び医療用画像処理プログラムを提供することができる。
【発明を実施するための最良の形態】
【００１７】
本発明の実施の形態における医療用画像処理装置は、図１に示すように、カメラ１０、基準用被写体１２、制御部１４、記憶部１６、入力部１８、表示部２０を含んで構成される。
【００１８】
カメラ１０は、医療用画像の撮影に用いられる一般的なカメラを用いることができる。ここで、医療用画像のデータを制御部１４で処理可能なデータ形式で入力できる形態であれば良い。例えば、胸部レントゲン等のＸ線撮像装置であれば患部へＸ線を照射するためのＸ線照射装置、患部を透過してくるＸ線を受けてその強度に応じた電気信号を発生させるＸ線受像装置、Ｘ線受像装置で発生した電気信号を制御部１４へ出力するインターフェース回路を含む構成とすることができる。ＭＲＩ画像や内視鏡カメラの場合も同様に受像装置及びインターフェース回路を含む構成とすることができる。
【００１９】
また、一旦光学フィルム等に画像撮影を行ったうえで、その光学フィルム等の画像をデジタルスキャナ等の画像読取装置で読み取って制御部１４へ送信する構成としても良い。
【００２０】
基準用被写体１２は、医療用画像を撮影する際に、画像上に表れる患部領域の大きさ、形状、濃淡、色味等の特徴量の比較を行うために患部と一緒に撮影される物体である。患部と共に基準用被写体１２を医療用画像に映し込んでおくことによって、医療用画像上における基準用被写体１２の像の大きさ、形状、濃淡、色味等の特徴量を複数の医療用画像上における患部の像を互いに比較する際の基準とすることができる。従って、医療用画像上の患部を比較する際の基準となるように、基準用被写体１２は、患部の大きさや形状を比較するのに適した構成とすることが好適である。また、基準用被写体１２の物理的特性は、医療用画像上に比較の基準となる像として映し込まれるような特性を有することが好適である。
【００２１】
図２に、Ｘ線撮影を行う際に用いられる基準用被写体１２ａの例を示す。基準用被写体１２ａは、Ｘ線を所定の透過率で透過する金属箔片２２を含むものとする。Ｘ線画像の撮影時に、患部と共に基準用被写体１２ａをＸ線画像上に撮影しておくことによって、Ｘ線画像上に映し出された基準用被写体１２ａの濃淡を基準として複数のＸ線画像上の患部の状態を定量的に比較することができる。
【００２２】
ここで、撮像時に常に患部から所定の距離に位置するように保てる構造とすることが好ましい。例えば、図３のように、Ｘ線画像撮像用のカメラ１０と患部とが密着するガラス面等に位置に基準用被写体１２ａを埋め込む構造とする。このような構造とすることで、時間をおいて医療用画像を撮影する場合においても、患部と基準用被写体１２ａとの相対的距離を常に一定に保つことができ、後に医療用画像上の患部の大きさや形状を比較する際に医療用画像上の基準用被写体１２ａの大きさや形状を基準として比較を行うことができる。
【００２３】
また、様々なＸ線透過量を得るために、図４のように、異なる透過率を有する数種類の金属の箔片を複数配置した構成とすることが好適である（図では透過率をハッチングの線密度の違いで表した）。また、同じＸ線の透過率を有する金属の膜厚を変えた複数の金属箔片２４−１〜２４−３を有する構成とすることも好適である。このように基準用被写体１２ａに異なるＸ線透過量となる金属箔片を含めておくことにより、Ｘ線画像上に映し出される基準用被写体１２ａの濃淡に変化をつけることができ、Ｘ線画像上の患部の濃淡を比較する際により細かい濃淡の比較を行うことが可能となる。
【００２４】
図５に、内視鏡画像の撮影を行う際に用いられる基準用被写体１２ｂの例を示す。患部の色味を比較するために、基準用被写体１２ｂは表面に基準色が塗装されていることが好適である（図では着色をハッチングで示した）。内視鏡画像の撮影時に、患部と共に基準用被写体１２ｂを内視鏡画像上に撮影しておくことによって、内視鏡画像上に映し出された基準用被写体１２ｂの色を基準として内視鏡画像上の患部の色味を定量的に比較することができる。さらに、図６のように、基準用被写体１２ｂの表面に色味のグラデーションをつけておくことも好適である（図では着色のグラデーションをハッチングの線密度で表した）。これよって、より細かい色味の比較を行うことが可能となる。
【００２５】
また、基準用被写体１２ｂを、内視鏡カメラの先端の撮影時に患部から所定の距離に維持できるように配置することも好ましい。例えば、図７に示すように、基準用被写体１２ｂに患部からの距離を測る突き当て部材２８を設けておき、撮影対象となる患部領域付近に突き当て部材２８を突き当てた状態で撮影を行うことによって基準用被写体１２ｂを患部から所定の距離に保って撮影を行うことができる。このような構造とすることで、時間をおいて内視鏡画像を撮影する場合においても、患部と基準用被写体１２ｂとの相対的距離を常に一定に保つことができ、後に内視鏡画像上の患部の大きさや形状を比較する際に内視鏡画像上の基準用被写体１２ｂの大きさや形状を基準として比較を行うことができる。
【００２６】
なお、ＭＲＩ画像等の他の医療用画像用に対しても同様に医療用画像の特徴量の比較となる基準用被写体１２を用いることができる。
【００２７】
制御部１４、記憶部１６、入力部１８及び表示部２０は、一般的なコンピュータの構成とすることができる。制御部１４は、中央処理装置であり、記憶部１６に格納及び保持されている医療用画像処理プログラムに沿って、ユーザからの指示の取り込み、カメラ１０の制御、カメラ１０からの医療画像の取り込み、医療用画像データに対する処理、処理結果の表示等の医療用画像処理装置の全体の制御を行う。記憶部１６は、半導体メモリ、ハードディスク、磁気ディスク、光磁気ディスク等の記憶装置とすることができる。記憶部１６は、医療用画像処理プログラムや医療用画像データ等の処理に必要な電子情報を格納及び保持する。入力部１８は、キーボート等の文字入力装置、マウス等のポインティングデバイスから構成することができる。入力部１８は、ユーザからの指示の入力を受け付けたり、医療用画像の範囲指定を受け付けたりするためのユーザインターフェースとして用いられる。表示部２０は、ディスプレイ装置、プリンタ装置等の画像表示装置から構成することができる。表示部２０は、ユーザに対して医療用画像を表示したり、医療用画像の範囲指定の様子を表示したり、医療用画像に対する処理の結果を表示したりするために用いられる。
【００２８】
次に、医療用画像処理装置を用いて医療用画像の処理を行う方法についてステップを追って説明する。
【００２９】
図８に、医療用画像処理方法の各ステップをフローチャートとして示す。医療用画像処理方法は、コンピュータで処理可能な医療用画像処理プログラムにコーディングされる。この医療用画像処理プログラムは、記憶部１６に格納及び保持され、制御部１４から適時読み出されて処理される。
【００３０】
医療用画像の比較処理を行う前に処理対象となる医療用画像の取り込みが行われる。ユーザがカメラ１０を用いて診療の対象となる患部を撮影すると、撮影された医療用画像はカメラ１０から制御部１４へデータ転送される。制御部１４は、取得された各医療用画像に画像番号を割り当てて記憶部１６に格納及び保持させる。
【００３１】
ここで、基準用被写体１２を患部と共に医療用画像上に映し込んでおくことが好適である。例えば、Ｘ線画像の撮影を行う際には、図２又は図４に示した基準用被写体１２ａを患部と共にＸ線画像上に撮影する。後の処理において、患部領域の大きさや形状を比較するために、撮像時に基準用被写体１２ａを常に患部から所定の距離に保って撮影を行うことが好ましい。また、例えば、内視鏡画像の撮影を行う際には、図５又は図６に示した基準用被写体１２ｂを、図７に示した突き当て部材２８を使って患部と共に内視鏡画像上に撮影する。この例においても、後の処理において、患部領域の大きさや形状を比較するために、撮像時に基準用被写体１２ｂを常に患部から所定の距離に保って撮影を行うことが好ましい。
【００３２】
同一の患者の治療経過を医療用画像により確認する場合には、治療期間の経過に沿って同一患者の患部の医療用画像を複数回撮影する。例えば、図９に示すように、治療を開始した日に一枚目の医療用画像３０−１を撮影し、治療を開始してから一週間後に二枚目の医療用画像３０−２を撮影し、これら２枚の医療用画像から患部の状態の比較処理を行うのである。
【００３３】
また、患者の病気の進行を絶対的に評価する場合には、図１０に示すように、病気の初期段階、中期段階、末期段階というように各進行ステップの比較基準となる基準画像４０−１〜４０−３を予め撮影しておき、患者から撮影した医療用画像との比較処理を行っても良い。
【００３４】
このように準備された医療用画像に対して以下のように比較処理を行う。
【００３５】
ステップＳ１０では、比較対象となる複数の医療用画像の指定及び読み出しを行う。制御部１４は、記憶部１６に予め登録されている画像番号入力画面データを読み出し、その画像番号入力画面データを表示部２０に表示させることにより、ユーザに画像番号の入力を促す。ユーザは、入力部１８を用いて、処理対象となる医療用画像の画像番号の指定を行う。制御部１４は、入力部１８からの画像番号の入力を受けて、記憶部１６に保持されている医療用画像群の中から処理対象となる複数の医療用画像を読み出す。
【００３６】
ステップＳ１２では、読み出された医療用画像のうち少なくとも１つに対して指定される比較対象領域の取得を行う。制御部１４は、ステップＳ１０で読み出された医療用画像のうち少なくとも１つを表示部２０によりユーザに提示し、ユーザに対して比較対象とする領域の指定を行うことを促す。ユーザは、入力部１８のポインティングデバイス等を用いて、表示部２０に表示された医療用画像内の比較対象とするべき領域を指定する。
【００３７】
例えば、図１１に示すように、医療用画像上において比較対象とする領域の境界を閉じたラインで指定する方法を用いることが好適である。ユーザは、マウス等を用いて、比較対象領域３２を指定する。
【００３８】
また、既存の画像処理技術を用いて半自動的に比較対象領域を抽出しても良い。例えば、図１２に示すように、マウス等を用いてユーザに医療用画像上の一点を指定させることによって、指定された点の周辺の画像データに対して所定のエッジフィルタ処理を行い、所定の閾値以上にエッジが強い画素を境界として判断し、その境界に囲まれた領域を比較対象領域３４として選択することができる。
【００３９】
ステップＳ１４では、比較対象領域の指定が行われた医療用画像以外の画像について比較対象領域の選択を行う。制御部１４は、ステップＳ１０で指定された医療用画像群のうちステップＳ１２で領域指定されなかった医療用画像群を選択し、その医療用画像群から比較対象領域を抽出する。
【００４０】
例えば、ステップＳ１２で領域指定された医療用画像と他の医療用画像とが同一の患部のほぼ同一の領域を撮影したものである場合、ステップＳ１２で領域指定された医療用画像内における指定された領域の位置や特徴を既存の画像処理技術により抽出し、他の医療用画像内で指定された領域に対応する位置から指定された領域と似通った特徴量を有する範囲を自動的に抽出することが好適である。
【００４１】
また、ステップＳ１２と同様に、残りの医療用画像の総てに対してユーザに比較対象領域の指定を行わせても良い。
【００４２】
ステップＳ１６では、複数の医療用画像に対して選択された比較対象領域の特徴量についての比較を行う。制御部１４は、ステップＳ１２及びステップＳ１４で複数の医療用画像から比較対象として抽出された領域の大きさ、形状、濃淡、色味等の特徴量を抽出する。
【００４３】
ステップＳ１８では、各々の医療用画像において患部と共に撮影されている基準用被写体１２から比較する特徴量を同時に抽出し、その値を基準として比較対象領域の特徴量の補正を行う。このとき、ステップＳ１６で抽出された基準用被写体の像領域３２又は３４の特徴量に基づいて補正を行う。
【００４４】
例えば、医療用画像がＸ線画像である場合に、患部と密着する位置に基準用被写体１２ａを埋め込まれたカメラ１０によりＸ線画像が撮影されたものとする。このとき、図９〜１２のように、基準用被写体１２ａの金属箔片の像領域３６はＸ線画像内の決まった位置に映し込まれるので、既存のエッジフィルタ処理等を用いてその近傍の領域からＸ線画像内に映し出された基準用被写体１２ａの金属箔片の像領域３６を抽出する。複数のＸ線画像における比較対象領域の大きさを比較する際には、各Ｘ線画像における金属箔片の像領域３６の面積とＸ線画像における比較対象領域の面積との比に基づいて比較対象領域の面積を補正することができる。補正された面積を比較することによって、異なるＸ線画像における比較対象領域の大きさを正確に比較することができる。
【００４５】
ここで、Ｘ線画像内に映し出された金属箔片の像領域３６の形状の歪みを求め、同じＸ線画像における比較対象領域の歪みを予め補正しておくことも好ましい。歪みの抽出及び補正には、ハフ変換等の既存の画像処理技術を用いることができる。
【００４６】
さらに、Ｘ線画像上に映し出された基準用被写体１２ａの像領域３６の明度を基準としてＸ線画像上の比較対象領域の濃淡を補正することができる。例えば、複数のＸ線画像における比較対象領域の濃淡を補正する際には、各Ｘ線画像における金属箔片の像領域３６の明度を用いてＸ線画像における比較対象領域の各画素の明度を規格化することができる。これにより、異なるＸ線画像における比較対象領域の濃淡の具合を正確に比較することができる。
【００４７】
内視鏡画像についても同様である。総ての内視鏡画像において患部と基準用被写体１２ｂとの相対距離を常に一定に維持して撮影が行われたとする。基準用被写体１２ｂは内視鏡画像内の決まった位置に映し込まれるので、既存のエッジフィルタ処理等を用いてその近傍の領域から基準用被写体１２ｂの像領域を抽出する。複数の内視鏡画像における比較対象領域の大きさを比較する際には、各内視鏡画像における基準用被写体１２ｂの像領域の面積と内視鏡画像における比較対象領域の面積との比に基づいて比較対象領域の面積を補正する。補正された面積を比較することによって、異なる内視鏡画像における比較対象領域の大きさを正確に比較することができる。
【００４８】
このときも、基準用被写体１２ｂの像領域の歪み具合に基づいて、比較対象領域の歪みを予め補正しておくことが好ましい。
【００４９】
さらに、内視鏡画像上に映し出された基準用被写体１２ｂの像領域の色を基準として内視鏡画像上の比較対象領域の色の補正を行うことができる。例えば、複数の内視鏡画像における比較対象領域の色を比較する際に、各内視鏡画像における基準用被写体１２ｂの像領域の赤、青、緑の明度を用いて内視鏡画像における比較対象領域の各画素の赤、青、緑の明度を規格化することができる。これによって、異なる内視鏡画像における比較対象領域の色を正確に比較することができる。
【００５０】
ステップＳ２０では、医療用画像における特徴量の補正結果を表示する。制御部１４は、表示部２０に大きさ、形状、濃淡又は色が補正された各医療用画像を表示させる。
【００５１】
図１３に、本実施の形態における医療用画像処理装置を機能ブロックで示す。医療用画像処理装置は、医療用画像取得手段５０及び画像補正手段５２とを含んで構成される。医療用画像取得手段５０は、患部の画像と共に基準用被写体の画像を含む医療用画像を取得する手段であって、医療用画像における基準用被写体１２の画像を撮影対象である患部から所定の距離に保って撮影することができる手段として機能することが好ましい。また、画像補正手段５２は、医療用画像から基準用被写体１２の画像領域を抽出し、基準用被写体１２の画像領域における画像の特徴量に基づいて医療用画像の比較対象領域における画像の特徴量を補正する手段であって、記憶部１６に保持されている医療用画像から複数の医療用画像を選択する画像選択手段５４、ユーザから医療用画像に対する比較対象領域の指定を受け付ける比較対象領域指定手段５６、医療用画像から比較対象領域を抽出する比較対象領域抽出手段５８、医療画像内の基準用被写体１２の画像を抽出する基準用被写体領域抽出手段６０又は医療用画像内の比較対象領域又は基準用被写体１２の画像から特徴量を抽出する特徴量抽出手段６２として機能することが好ましい。
【００５２】
以上のように、本実施の形態によれば、基準用被写体の像の特徴量に基づいて比較対象領域の特徴量を補正することによって、複数の医療用画像間の比較を容易にすることができる。
【図面の簡単な説明】
【００５３】
【図１】本発明の実施の形態における医療用画像処理装置の構成を示す図である。
【図２】本発明の実施の形態における基準用被写体の一例を示す図である。
【図３】本発明の実施の形態における基準用被写体の取り付け態様の一例を示す図である。
【図４】本発明の実施の形態における基準用被写体の別例を示す図である。
【図５】本発明の実施の形態における基準用被写体の別例を示す図である。
【図６】本発明の実施の形態における基準用被写体の別例を示す図である。
【図７】本発明の実施の形態における基準用被写体の取り付け態様の別例を示す図である。
【図８】本発明の実施の形態における医療用画像処理方法を示すフローチャートである。
【図９】医療用画像の例を示す図である。
【図１０】医療用画像の別例を示す図である。
【図１１】医療用画像の比較対象領域を指定する処理を説明する図である。
【図１２】医療用画像の比較対象領域を指定する処理を説明する図である。
【図１３】本発明の実施の形態における医療用画像処理装置の機能構成を示すブロック図である。
【符号の説明】
【００５４】
１０  カメラ、１２，１２ａ，１２ｂ  基準用被写体、１４  制御部、１６  記憶部、１８  入力部、２０  表示部、２２，２４  金属箔片、２８  突き当て部材、３０，４０  医療用画像、３２，３４  比較対象領域、３６  基準用被写体の像領域、５０  医療用画像取得手段、５２  画像補正手段、５４  画像選択手段、５６  比較対象領域指定手段、５８  比較対象領域抽出手段、６０  基準用被写体領域抽出手段、６２  特徴量抽出手段。
【図１】
2005095478.tif 000003
【図２】
2005095478.tif 000004
【図３】
2005095478.tif 000005
【図４】
2005095478.tif 000006
【図５】
2005095478.tif 000007
【図６】
2005095478.tif 000008
【図７】
2005095478.tif 000009
【図８】
2005095478.tif 000010
【図９】
2005095478.tif 000011
【図１０】
2005095478.tif 000012
【図１１】
2005095478.tif 000013
【図１２】
2005095478.tif 000014
【図１３】
2005095478.tif 000015